【手続補正書】
【提出日】平成16年4月9日(2004.4.9)
【手続補正１】
【補正対象書類名】明細書
【補正対象項目名】特許請求の範囲
【補正方法】変更
【補正の内容】
【特許請求の範囲】
【請求項１】
複数の売買注文を商品の取引市場に同時に発注するための売買注文処理システムであって、
売買注文の発注に必要な注文情報に、同時に発注する複数の売買注文を関連付けるための識別情報を付して格納する注文情報格納手段と、
売買注文の発注者が操作する発注者端末より、前記識別情報が特定された売買注文の発注指示を受け付ける発注指示受付手段と、
前記発注指示受付手段が売買注文の発注指示を受け付けると、前記売買注文にかかる識別情報を特定して、前記識別情報の付された全ての売買注文にかかる注文情報を、前記注文情報格納手段から取得する注文情報取得手段と、
前記注文情報取得手段の取得した注文情報に定められた条件を指定して、前記注文情報取得手段が注文情報を取得した全ての売買注文について、前記商品の取引所システムに対して発注処理を行う発注処理手段と、
を備えることを特徴とする売買注文処理システム。
【請求項２】
複数の売買注文を商品の取引市場に同時に発注するための売買注文処理システムであって、
売買注文の発注に必要な注文情報に、同時に発注する複数の売買注文を関連付けるための識別情報を付して格納する注文情報格納手段と、
前記複数の売買注文を発注するための発注条件をトリガとして指定して、前記トリガに前記識別情報を付して格納するトリガ格納手段と、
前記トリガに定められた条件の合致を監視するトリガ監視手段と、
前記トリガ監視手段が前記トリガに定められた条件に合致したと判定すると、前記トリガ格納手段から前記トリガに対応する前記識別情報を特定する識別情報特定手段と、
前記識別情報特定手段の特定した識別情報の付された全ての売買注文にかかる注文情報を、前記注文情報格納手段から取得する注文情報取得手段と、
前記注文情報取得手段の取得した注文情報に定められた条件を指定して、前記注文情報取得手段が注文情報を取得した全ての売買注文について、前記商品の取引所システムに対して発注処理を行う発注処理手段と、
を備えることを特徴とする売買注文処理システム。
【請求項３】
売買注文の発注者が操作する発注者端末より、複数の売買注文を発注するための発注条件を受け付けると、前記発注条件をトリガと設定し、前記トリガと複数の売買注文を関連付けるための識別情報が付された前記トリガを前記トリガ格納手段に格納するトリガ設定手段と、
前記発注者端末より、前記発注条件により発注される売買注文として選択された全ての売買注文を特定する選択情報を受け付けて、前記選択情報により特定された全ての売買注文について、前記注文情報格納手段の対応する注文情報に前記識別情報を付与する識別情報付与手段と、
を備えることを特徴とする請求項２記載の売買注文処理システム。
【請求項４】
前記トリガ格納手段に格納されるトリガには、前記商品の取引市場における特定の売買価格が設定されていて、
前記トリガ監視手段は、前記商品の取引市場における売買価格の変動を監視することを特徴とする請求項２又は３記載の売買注文処理システム。
【請求項５】
前記トリガ格納手段に格納されるトリガには、前記注文情報格納手段に格納された注文情報に対応する特定の売買注文の約定が設定されていて、
前記トリガ監視手段は、前記注文情報格納手段において、前記特定の売買注文の注文情報への約定の記録を監視することを特徴とする請求項２又は３記載の売買注文処理システム。
【請求項６】
売買注文の発注者の保有する保有資産の資産残高に関する情報を格納する資産情報格納手段を備えていて、
前記資産情報格納手段に格納された前記資産残高に関する情報は、前記保有資産の市場価格の変動に応じて更新され、
前記トリガ格納手段に格納されるトリガには、売買注文の発注者の保有資産の資産残高に関する特定の値が設定されていて、
前記トリガ監視手段は、前記資産情報格納手段において、前記発注者の資産残高が前記特定の値に達するか否かを監視することを特徴とする請求項２又は３記載の売買注文処理システム。
【請求項７】
複数の売買注文を商品の取引市場に同時に発注するための売買注文処理の方法であって、
売買注文処理システムが、売買注文の発注者が操作する発注者端末より、同時に発注する複数の売買注文を関連付けるための識別情報が特定された売買注文の発注指示を受け付けるステップと、
前記売買注文処理システムが、前記発注指示を受け付けると、前記売買注文にかかる識別情報を特定して、前記識別情報の付された全ての売買注文にかかる注文情報を、売買注文の発注に必要な注文情報に前記識別情報を付して格納する注文情報格納部から取得するステップと、
前記注文情報を取得するステップで取得した注文情報に定められた条件を指定して、注文情報を取得した全ての売買注文について、前記商品の取引所システムに対して発注処理を行うステップと、
を有することを特徴とする売買注文処理の方法。
【請求項８】
複数の売買注文を商品の取引市場に同時に発注するための売買注文処理の方法であって、
売買注文処理システムが、複数の売買注文を発注するための発注条件をトリガとして指定し、前記トリガに同時に発注する複数の売買注文を関連付けるための識別情報を付して格納するトリガ格納部に格納されたトリガに定められた条件の合致を監視するステップと、
前記売買注文処理システムが、前記ステップでトリガに定められた条件に合致したと判定されると、前記トリガ格納部から前記トリガに対応する前記識別情報を特定するステップと、
前記売買注文処理システムが、前記識別情報を特定するステップで特定した識別情報の付された全ての売買注文にかかる注文情報を、売買注文の発注に必要な注文情報に前記識別情報を付して格納する注文情報格納手段から取得するステップと、
前記注文情報を取得するステップで取得した注文情報に定められた条件を指定して、注文情報を取得した全ての売買注文について、前記商品の取引所システムに対して発注処理を行うステップと、
を有することを特徴とする売買注文処理の方法。
【手続補正２】
【補正対象書類名】明細書
【補正対象項目名】００１２
【補正方法】変更
【補正の内容】
【００１２】
【課題を解決するための手段】
これらの課題を解決する第１の発明は、複数の売買注文を商品の取引市場に同時に発注するための売買注文処理システムであって、売買注文の発注に必要な注文情報に、同時に発注する複数の売買注文を関連付けるための識別情報を付して格納する注文情報格納手段と、売買注文の発注者が操作する発注者端末より、前記識別情報が特定された売買注文の発注指示を受け付ける発注指示受付手段と、前記発注指示受付手段が売買注文の発注指示を受け付けると、前記売買注文にかかる識別情報を特定して、前記識別情報の付された全ての売買注文にかかる注文情報を、前記注文情報格納手段から取得する注文情報取得手段と、前記注文情報取得手段の取得した注文情報に定められた条件を指定して、前記注文情報取得手段が注文情報を取得した全ての売買注文について、前記商品の取引所システムに対して発注処理を行う発注処理手段と、を備えることを特徴とする。


【手続補正３】
【補正対象書類名】明細書
【補正対象項目名】００１４
【補正方法】削除
【補正の内容】
【手続補正４】
【補正対象書類名】明細書
【補正対象項目名】００１６
【補正方法】変更
【補正の内容】
【００１６】
第２の発明は、複数の売買注文を商品の取引市場に同時に発注するための売買注文処理システムであって、売買注文の発注に必要な注文情報に、同時に発注する複数の売買注文を関連付けるための識別情報を付して格納する注文情報格納手段と、前記複数の売買注文を発注するための発注条件をトリガとして指定して、前記トリガに前記識別情報を付して格納するトリガ格納手段と、前記トリガに定められた条件の合致を監視するトリガ監視手段と、前記トリガ監視手段が前記トリガに定められた条件に合致したと判定すると、前記トリガ格納手段から前記トリガに対応する前記識別情報を特定する識別情報特定手段と、前記識別情報特定手段の特定した識別情報の付された全ての売買注文にかかる注文情報を、前記注文情報格納手段から取得する注文情報取得手段と、前記注文情報取得手段の取得した注文情報に定められた条件を指定して、前記注文情報取得手段が注文情報を取得した全ての売買注文について、前記商品の取引所システムに対して発注処理を行う発注処理手段と、を備えることを特徴とする。売買注文の発注者が操作する発注者端末より、複数の売買注文を発注するための発注条件を受け付けると、前記発注条件をトリガと設定し、前記トリガと複数の売買注文を関連付けるための識別情報が付された前記トリガを前記トリガ格納手段に格納するトリガ設定手段と、前記発注者端末より、前記発注条件により発注される売買注文として選択された全ての売買注文を特定する選択情報を受け付けて、前記選択情報により特定された全ての売買注文について、前記注文情報格納手段の対応する注文情報に前記識別情報を付与する識別情報付与手段と、を備えることを特徴とすることもできる。
【手続補正５】
【補正対象書類名】明細書
【補正対象項目名】００２０
【補正方法】変更
【補正の内容】
【００２０】
第２の発明において、前記トリガ格納手段に格納されるトリガには、前記商品の取引市場における特定の売買価格が設定されていて、前記トリガ監視手段は、前記商品の取引市場における売買価格の変動を監視することを特徴とすることもできる。


【手続補正６】
【補正対象書類名】明細書
【補正対象項目名】００２２
【補正方法】変更
【補正の内容】
【００２２】
第２の発明において、前記トリガ格納手段に格納されるトリガには、前記注文情報格納手段に格納された注文情報に対応する特定の売買注文の約定が設定されていて、前記トリガ監視手段は、前記注文情報格納手段において、前記特定の売買注文の注文情報への約定の記録を監視することを特徴とすることもできる。


【手続補正７】
【補正対象書類名】明細書
【補正対象項目名】００２４
【補正方法】変更
【補正の内容】
【００２４】
第２の発明において、売買注文の発注者の保有する保有資産の資産残高に関する情報を格納する資産情報格納手段を備えていて、前記資産情報格納手段に格納された前記資産残高に関する情報は、前記保有資産の市場価格の変動に応じて更新され、前記トリガ格納手段に格納されるトリガには、売買注文の発注者の保有資産の資産残高に関する特定の値が設定されていて、前記トリガ監視手段は、前記資産情報格納手段において、前記発注者の資産残高が前記特定の値に達するか否かを監視することを特徴とすることもできる。